【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
セクター化されたセルにおいて第１の無線端末を動作させる方法であって、各セクターは、前記セル内の少なくとも１つのその他のセクターに隣接し、隣接するセクターは、セクター対を形成し、基地局を含む前記セルは、多面アンテナに結合され、前記多面アンテナの各面は、前記セルの異なるセクターに対応し、前記セクターは、
第１のセクターおよび第２のセクターを含むセクター対において第１の組のトーンを割り当てるトーン割り当て情報を前記基地局から受信することと、
ＭＩＭＯ動作モード中に前記第１のセクターおよび前記第２のセクターの両方と通信することと
を備え、
前記通信することは、前記ＭＩＭＯ動作モード中に前記セクター対において同期化された形で時間の経過にしたがって前記第１の組のトーンをホッピングすることを含む、
方法。
【請求項２】
ＭＩＭＯ動作モードにおいて前記基地局と通信することは、２つの隣接する基地局アンテナ面と通信する少なくとも２つの無線端末アンテナを用いることを含む、請求項１に記載の方法。
【請求項３】
前記第１の組のトーンは、前記第１の組のトーンが、前記第１の無線端末に割り当てられる時間の少なくとも一部中に前記第１のセクター内の第２の無線端末に割り当てられる、請求項２に記載の方法。
【請求項４】
前記第１および第２の無線端末は、同期化された形でトーンホッピングを行う、請求項３に記載の方法。
【請求項５】
ＭＩＭＯ動作モードにおいて前記基地局と通信することは、同じ時間中に前記２つの隣接する基地局アンテナ面の両方のアンテナ面と通信するために前記第１の組のトーンを用いることをさらに含む、請求項２に記載の方法。
【請求項６】
少なくとも１つの基地局に対応するトーンホッピングを示す格納された情報をさらに備える、請求項１に記載の方法。
【請求項７】
アンテナ面対における第１のアンテナ面に対応する経路損失情報を送信することと、前記アンテナ面対における第２のアンテナ面に対応する経路損失情報を送信することと、ここにおいて、前記第１及び第２のアンテナ面は、隣接するアンテナ面である、
前記第１の無線端末がセクター状態になるか又はセクター対状態になるかに関する基地局の決定を前記受信された信号から復元することと、
をさらに備え、
前記基地局の決定は、前記第１の無線端末からの受信された経路損失情報に基づく、
請求項１に記載の方法。
【請求項８】
第１の基地局アンテナ面があるトーンにおいてパイロット信号を送信し、第２の基地局アンテナ面が前記トーンにおいて送信しない期間中に前記トーンにおいて受信された信号の電力測定を行うことと、ここで、前記第１及び第２の基地局アンテナ面は、隣接する、
経路損失情報を前記電力測定の関数として決定することと
をさらに備える、請求項７に記載の方法。
【請求項９】
前記第１の無線端末は、ＯＦＤＭシステムにおける無線端末であり、
前記セルの前記セクターは、タイミング同期化される、
請求項８に記載の方法。
【請求項１０】
セクター化されたセルにおける第１の無線端末であって、各セクターは、前記セル内の少なくとも１つのその他のセクターに隣接し、隣接するセクターは、セクター対を形成し、基地局を含む前記セルは、多面アンテナに結合され、前記多面アンテナの各面は、前記セルの異なるセクターに対応し、前記第１の無線端末は、
第１のセクターおよび第２のセクターを含むセクター対において第１の組のトーンを割り当てるトーン割り当て情報を前記基地局から受信するように構成された受信機と、
ＭＩＭＯ動作モード中に前記第１のセクターおよび前記第２のセクターの両方と通信するために前記第１の無線端末を制御するように構成されたＭＩＭＯモジュールと、
前記ＭＩＭＯ動作モード中に前記セクター対において同期化された形で時間の経過にしたがって前記第１の組のトーンをホッピングすることを含むホッピングを実装するように構成されたトーンホッピングモジュールと
を備える、第１の無線端末。
【請求項１１】
前記第１の無線端末は、前記ＭＩＭＯ動作モードにおいて前記基地局と通信する場合、２つの隣接する基地局アンテナ面と通信する少なくとも２つの無線端末アンテナを用いる、請求項１０に記載の第１の無線端末。
【請求項１２】
前記第１の組のトーンは、前記第１の組のトーンが前記第１の無線端末に割り当てられる時間の少なくとも一部中に前記第１のセクター内の第２の無線端末に割り当てられる、請求項１１に記載の第１の無線端末。
【請求項１３】
前記第１および第２の無線端末は、同期化された形でトーンホッピングを行う、請求項１２に記載の第１の無線端末。
【請求項１４】
前記第１の無線端末は、前記ＭＩＭＯ動作モードにおいて前記基地局と通信する場合、同じ時間中に前記２つの隣接する基地局アンテナ面の両方のアンテナ面と通信するために前記第１の組のトーンを用いる、請求項１１に記載の第１の無線端末。
【請求項１５】
少なくとも１つの基地局に対応するトーンホッピングを示す格納された情報に関するメモリ
をさらに備える、請求項１０に記載の第１の無線端末。
【請求項１６】
アンテナ面対における第１のアンテナ面に対応する経路損失情報を送信し、且つ前記アンテナ面対における第２のアンテナ面に対応する経路損失情報を送信するように構成された送信機と、ここにおいて、前記第１及び第２のアンテナ面は、隣接するアンテナ面である、
前記第１の無線端末がセクター状態になるか又はセクター対状態になるかに関する基地局の決定を前記受信された信号から復元するように構成された復元モジュールと、
をさらに備え、
前記基地局の決定は、前記第１の無線端末からの受信された経路損失情報に基づく、
請求項１０に記載の第１の無線端末。
【請求項１７】
第１の基地局アンテナ面があるトーンにおいてパイロット信号を送信し、第２の基地局アンテナ面が前記トーンにおいて送信しない期間中に前記トーンにおいて受信された信号の電力測定を行うように構成された電力測定モジュールと、ここで、前記第１及び第２の基地局アンテナ面は、隣接する、
経路損失情報を前記電力測定の関数として決定するように構成された経路損失決定モジュールと
をさらに備える、請求項１６に記載の第１の無線端末。
【請求項１８】
前記第１の無線端末は、ＯＦＤＭシステムにおける無線端末であり、
前記セルの前記セクターは、タイミング同期化される、
請求項１７に記載の第１の無線端末。
【請求項１９】
セクター化されたセルにおいて無線端末を動作させる方法を実装するための機械によって実行可能な命令を具現化したコンピュータによって読み取り可能な記録媒体であって、各セクターは、前記セル内の少なくとも１つのその他のセクターに隣接し、隣接するセクターは、セクター対を形成し、基地局を含む前記セルは、多面アンテナに結合され、前記多面アンテナの各面は、前記セルの異なるセクターに対応し、前記方法は、
前記無線端末において、第１のセクターおよび第２のセクターを含むセクター対において第１の組のトーンを割り当てるトーン割り当て情報を前記基地局から受信することと、
ＭＩＭＯ動作モード中に前記第１のセクターおよび前記第２のセクターの両方と通信するために前記無線端末を制御することと
を備え、
前記通信することは、前記ＭＩＭＯ動作モード中に前記セクター対において同期化された形で時間の経過にしたがって前記第１の組のトーンをホッピングすることを含む、
コンピュータによって読み取り可能な記録媒体。
【請求項２０】
セクター化されたセルにおける無線端末であって、各セクターは、前記セル内の少なくとも１つのその他のセクターに隣接し、隣接するセクターは、セクター対を形成し、基地局を含む前記セルは、多面アンテナに結合され、前記多面アンテナの各面は、前記セルの異なるセクターに対応し、前記無線端末は、
第１のセクターおよび第２のセクターを含むセクター対において第１の組のトーンを割り当てるトーン割り当て情報を前記基地局から受信し、
ＭＩＭＯ動作モード中に前記第１のセクターおよび前記第２のセクターの両方と通信する
ために前記無線端末を制御するように構成されたプロセッサを含み、
前記通信することは、前記ＭＩＭＯ動作モード中に前記セクター対において同期化された形で時間の経過にしたがって前記第１の組のトーンをホッピングすることを含む、無線端末。
【手続補正２】
【補正対象書類名】明細書
【補正対象項目名】００７４
【補正方法】変更
【補正の内容】
【００７４】
上記の説明に鑑みて、上述される方法及び装置に関する数多くの追加の変形が当業者にとって明確になるであろう。該変形は、適用範囲内にあるとみなされるべきである。様々な実施形態の方法及び装置は、ＣＤＭＡ、直交周波数分割多重化（ＯＦＤＭ）、及び／又はアクセスノードとモバイルノードとの間において無線通信リンクを提供するために用いることができる様々なその他の型の通信技術とともに用いることができ、様々な実施形態において用いられる。幾つかの実施形態においては、アクセスノードは、ＯＦＤＭ及び／又はＣＤＭＡを用いてモバイルノードとの通信リンクを構築する基地局として実装される。様々な実施形態においては、モバイルノードは、様々な実施形態の方法を実装するための受信機／送信機回路及び論理及び／又はルーチンを含むノート型コンピュータ、パーソナルデータアシスタント（ＰＤＡ）、又はその他のポータブルデバイスとして実装される。
以下に、本願出願の当初の特許請求の範囲に記載された発明を付記する。
［Ｃ１］
セクター化されたセルにおいて無線端末を動作させる方法であって、各セクターは、前記セル内の少なくとも１つのその他のセクターに隣接し、隣接するセクターは、セクター対を形成し、前記セルは、多面アンテナに結合された基地局を含み、前記基地局アンテナの各面は、前記セルの異なるセクターに対応し、前記セクターは、タイミングが同期化され、前記方法は、
前記基地局からの基地局の決定を受信することであって、前記基地局の決定は、前記無線端末がセクター状態にあるか又はセクター対状態にあるかを示すことと、
前記無線端末が前記セクター状態にあるか又は前記セクター対状態にあるかを示す情報を維持することと、
ＭＩＭＯ動作モード及び非ＭＩＭＯ動作モードのうちの１つにおいて前記基地局と通信することであって、通信のために用いられる前記動作モードは、前記無線端末が前記セクター状態にあるか又は前記セクター対状態にあるかを示す前記維持される情報に基づいて決定されること、とを備え、
前記無線端末は、セクター対状態にあり、前記方法は、
前記無線端末が、前記多面基地局アンテナの第１のアンテナ面及び前記多面基地局アンテナの第２のアンテナ面の両方との通信のための第１の組のトーンが割り当てられていることを示すトーン割り当て情報を受信することであって、前記第１及び第２の面は、隣接すること、をさらに備える、方法。
［Ｃ２］
ＭＩＭＯ動作モードにおいて前記基地局と通信することは、２つの隣接する基地局アンテナ面と通信する少なくとも２つの無線端末アンテナを用いることを含むＣ１に記載の方法。
［Ｃ３］
ＭＩＭＯ動作モードにおいて前記基地局と通信することは、同じ時間中に前記２つの隣接する基地局アンテナ面の両方のアンテナ面との通信のための第１の組のトーンを用いることをさらに含むＣ２に記載の方法。
［Ｃ４］
前記基地局は、３つのセクターを有するＣ２に記載の方法。
［Ｃ５］
前記第１の組のトーンは、前記セクター対において同期化された形で時間の経過にしたがってホッピングされるＣ１に記載の方法。
［Ｃ６］
アンテナ面対における第１のアンテナ面に対応する経路損失情報を送信することと、
前記アンテナ面対における第２のアンテナ面に対応する経路損失情報を送信することであって、前記第１及び第２のアンテナ面は、隣接するアンテナ面であることと、
前記無線端末がセクター状態にあるか又はセクター対状態にあるかに関する基地局の決定を受信することであって、前記基地局の決定は、前記無線端末からの受信された経路損失情報に基づくこと、とをさらに備えるＣ１に記載の方法。
［Ｃ７］
第１の基地局アンテナ面があるトーンにおいてパイロット信号を送信し、第２の基地局アンテナ面が前記トーンにおいて送信しない期間中に前記トーンにおいて受信された信号の電力測定を行うことであって、前記第１及び第２の基地局アンテナ面は、隣接することと、
経路損失情報を前記電力測定の関数として決定すること、とをさらに備えるＣ６に記載の方法。
［Ｃ８］
前記無線端末は、ＯＦＤＭシステムにおける無線端末であり、前記タイミング同期化は、ＯＦＤＭシンボル時間同期化であるＣ２に記載の方法。
［Ｃ９］
セクター化されたセルにおいて用いるための無線端末であって、各セクターは、前記セル内の少なくとも１つのその他のセクターに隣接し、隣接するセクターは、セクター対を形成し、前記セルは、多面アンテナに結合された基地局を含み、前記基地局アンテナの各面は、前記セルの異なるセクターに対応し、前記セクターは、タイミングが同期化され、前記無線端末は、
前記基地局から受信された信号から基地局の決定を復元するための状態情報復元モジュールであって、前記基地局の決定は、前記無線端末がセクター状態にあるか又はセクター対状態にあるかを示すことと、
前記無線端末が前記セクター状態にあるか又は前記セクター対状態にあるかを示す情報を維持するための状態情報維持モジュールと、
複数のアンテナと、
前記無線端末はＭＩＭＯ動作モードにおいて動作すべきか又は非ＭＩＭＯ動作モードにおいて動作すべきかを、前記無線端末が前記セクター状態にあるか又は前記セクター対状態にあるかを示す前記維持される情報に基づいて決定するためのモード決定モジュールと、
ＭＩＭＯ動作モードにおいて前記基地局と通信するためのＭＩＭＯモジュールと、
非ＭＩＭＯ動作モードにおいて前記基地局と通信するため非ＭＩＭＯモードモジュールと、を備え、前記無線端末は、
前記無線端末が前記多面基地局アンテナの第１のアンテナ面及び前記多面基地局アンテナの第２のアンテナ面の両方と通信するための第１の組のトーンが割り当てられていることを受信された信号から決定するためのトーン割り当て決定モジュールであって、前記第１及び第２の面は隣接するトーン割り当て決定モジュール、をさらに備える、無線端末。
［Ｃ１０］
ＭＩＭＯ動作モードにおいて前記基地局と通信することは、２つの隣接する基地局アンテナ面と通信する少なくとも２つの無線端末アンテナを用いることを含むＣ９に記載の無線端末。
［Ｃ１１］
ＭＩＭＯ動作モードにおいて前記基地局と通信することは、同じ時間中に前記２つの隣接する基地局アンテナ面の両方のアンテナ面と通信するための第１の組のトーンを用いることをさらに含むＣ１０に記載の無線端末。
［Ｃ１２］
少なくとも１つの基地局に対応するトーンホッピングを示す格納された情報と、
トーンホッピングを実装するためのトーンホッピングモジュールと、をさらに備え、前記第１の組のトーンは、前記セクター対において同期化された形で時間の経過にしたがってホッピングされるＣ９に記載の無線端末。
［Ｃ１３］
アンテナ面対における第１のアンテナ面に対応する経路損失情報を送信するための及び前記アンテナ面対における第２のアンテナ面に対応する経路損失情報を送信するための送信機であって、前記第１及び第２のアンテナ面は隣接するアンテナ面である送信機と、
前記無線端末がセクター状態にあるか又はセクター対状態にあるかを示す基地局の決定を受信された信号から復元するための状態情報復元モジュールであって、前記基地局の決定は、前記無線端末からの受信された経路損失情報に基づく状態情報復元モジュールと、
第１の基地局アンテナ面があるトーンにおいてパイロット信号を送信し、第２の基地局アンテナ面が前記トーンにおいて送信しない期間中に前記トーンにおいて受信された信号の電力測定を行うための電力測定モジュールであって、前記第１及び第２の基地局アンテナ面は隣接する電力測定モジュールと、
経路損失情報を前記電力測定の関数として決定するための経路損失決定モジュールと、をさらに備えるＣ９に記載の無線端末。
［Ｃ１４］
前記無線端末は、ＯＦＤＭシステムにおける無線端末であり、前記タイミング同期化は、ＯＦＤＭシンボル時間同期化であるＣ１３に記載の無線端末。
［Ｃ１５］
セクター化されたセルにおいて用いるための無線端末であって、各セクターは、前記セル内の少なくとも１つのその他のセクターに隣接し、隣接するセクターは、セクター対を形成し、前記セルは、多面アンテナに結合された基地局を含み、前記基地局アンテナの各面は、前記セルの異なるセクターに対応し、前記セクターは、タイミングが同期化され、前記無線端末は、
前記基地局から、前記無線端末がセクター状態にあるか又はセクター対状態にあるかを示す基地局の決定を受信するための手段と、
前記無線端末が前記セクター状態にあるか又は前記セクター対状態にあるかを示す情報を維持するための状態情報を維持するための手段と、
複数の少なくとも１つの、電磁波を放射するための手段及び電磁波を復元するための手段と、
前記無線端末はＭＩＭＯ動作モードにおいて動作すべきか又は非ＭＩＭＯ動作モードにおいて動作すべきかを、前記無線端末が前記セクター状態にあるか又は前記セクター対状態にあるかを示す前記維持される情報に基づいて決定するための手段と、
ＭＩＭＯ動作モードにおいて前記基地局と通信するため手段と、
非ＭＩＭＯ動作モードにおいて前記基地局と通信するため手段と、
を備え、
ＭＩＭＯ動作モードにおいて前記基地局と通信することは、２つの隣接する基地局アンテナ面と通信する前記複数の少なくとも１つの、電磁波を放射するための手段及び電磁波を復元するための前記手段のうちの少なくとも２つを用いることを含み、
ＭＩＭＯ動作モードにおいて前記基地局と通信することは、同じ時間中に前記２つの隣接する基地局アンテナ面の両方のアンテナ面と通信するための第１の組のトーンを用いることをさらに含む、無線端末。
［Ｃ１６］
前記無線端末が前記多面基地局アンテナの第１のアンテナ面及び前記多面基地局アンテナの第２のアンテナ面の両方と通信するための第１の組のトーンが割り当てられていることを受信された信号から決定するためのトーン割り当てを決定するための手段であって、前記第１及び第２の面は隣接する手段、をさらに備えるＣ１５に記載の無線端末。
［Ｃ１７］
セクター化されたセルにおいて無線端末を動作させる方法を実装するための機械によって実行可能な命令を具現化したコンピュータによって読み取り可能な記録媒体であって、各セクターは、前記セル内の少なくとも１つのその他のセクターに隣接し、隣接するセクターは、セクター対を形成し、前記セルは、多面アンテナに結合された基地局を含み、前記基地局アンテナの各面は、前記セルの異なるセクターに対応し、前記セクターは、タイミングが同期化され、前記方法は、
前記基地局からの基地局の決定を受信することであって、前記基地局の決定は、前記無線端末がセクター状態にあるか又はセクター対状態にあるかを示すことと、
前記無線端末が前記セクター状態にあるか又は前記セクター対状態にあるかを示す情報を維持することと、
ＭＩＭＯ動作モード及び非ＭＩＭＯ動作モードのうちの１つにおいて前記基地局と通信することであって、通信するために用いられる前記動作モードは、前記無線端末が前記セクター状態にあるか又は前記セクター対状態にあるかを示す前記維持される情報に基づいて決定されること、とを備え、
ＭＩＭＯ動作モードにおいて前記基地局と通信することは、２つの隣接する基地局アンテナ面と通信する少なくとも２つの無線端末アンテナを用いることを含み、
ＭＩＭＯ動作モードにおいて前記基地局と通信することは、同じ時間中に前記２つの隣接する基地局アンテナ面の両方のアンテナ面と通信するための第１の組のトーンを用いることをさらに含む、コンピュータによって読み取り可能な記録媒体。
［Ｃ１８］
装置であって、
基地局から基地局の決定を受信するようにであって、前記基地局の決定は、前記装置がセクター状態にあるか又はセクター対状態にあるかを示すようにと、
前記装置が前記セクター状態にあるか又は前記セクター対状態にあるかを示す情報を維持するようにと、及び
ＭＩＭＯ動作モード及び非ＭＩＭＯ動作モードのうちの１つにおいて前記基地局と通信するように、構成されたプロセッサであって、通信のために用いられる前記動作モードは、前記装置が前記セクター状態にあるか又は前記セクター対状態にあるかを示す前記維持される情報に基づいて決定されるプロセッサ、を備え、
ＭＩＭＯ動作モードにおいて前記基地局と通信することは、２つの隣接する基地局アンテナ面と通信する少なくとも２つのアンテナを用いることを含み、
ＭＩＭＯ動作モードにおいて前記基地局と通信することは、同じ時間中に前記２つの隣接する基地局アンテナ面の両方のアンテナ面と通信するための第１の組のトーンを用いることをさらに含む、装置。
［Ｃ１９］
前記第１の組のトーンは、前記セクター対において同期化された形で時間の経過にしたがってホッピングされ、
前記基地局は、３つのセクターを有し、
前記第１の組のトーンは、前記セクター対において同期化された形で時間の経過にしたがってホッピングされるＣ１８に記載の装置。